(57)【要約】【課題】本発明は、走行機体側の後部に苗植装置をローリング可能に装着した多条植え苗移植機において、圃場の凹凸が少ない場合には苗植装置のローリングを少なくして植付走行速度を速く出来るようにすることを課題とする。【解決手段】走行車体１の後部に設ける縦枠２７にローリング軸２６を介して苗植装置２５をローリング可能に設けた多条植え苗移植機において、苗植装置２５の左右支持部材２９ａを縦枠２７の中央支持部６０に左右引張バネ６３、６３で連結し、該左右引張バネ６３、６３の張力をローリング調整手段６５で変更可能にしたことを特徴とする多条植え苗移植機とする。【選択図】図３
2017201912.tif 000002
【特許請求の範囲】
【請求項１】
走行車体（１）の後部に設ける縦枠（２７）にローリング軸（２６）を介して苗植装置（２５）をローリング可能に設けた多条植え苗移植機において、前記苗植装置（２５）の左右支持部材（２９ａ）を前記縦枠（２７）の中央支持部（６０）に左右引張バネ（６３、６３）で連結し、該左右引張バネ（６３、６３）の張力をローリング調整手段（６５）で変更可能にしたことを特徴とする多条植え苗移植機。
【請求項２】
前記ローリング調整手段（６５）を前記左右引張バネ（６３、６３）の張力を変更する左右調整モータ（６１Ｌ、６１Ｒ）とし、前記苗植装置（２５）の水平を検出する水平センサー（６４）の傾き検出角が所定角度以下であるときの、前記左右調整モータ（６１Ｌ、６１Ｒ）によって変更される張力が、前記水平センサー（６４）の傾き検出角が所定角度以上になるときの、前記左右調整モータ（６１Ｌ、６１Ｒ）によって変更される張力よりも大きくなるように制御することを特徴とする請求項１に記載の多条植え苗移植機。  
【請求項３】
前記ローリング調整手段（６５）の前記左右引張バネ（６３、６３）の張力を減少させるメンテナンススイッチ（６６）を設けたことを特徴とする請求項１に記載の多条植え苗移植機。
【発明の詳細な説明】
【技術分野】
【０００１】
本発明は、一度の走行で移植苗を多条に圃場へ移植する多条植え苗移植機に関する。
【背景技術】
【０００２】
機体の走行で移植苗を左右多条に圃場へ植え付ける多条植え苗移植機は、特許文献１に記載の如く、左右に並設する複数の苗植付け具を設けた苗植装置を走行機体に対してローリング機構で連結して、走行機体が圃場の凹凸で左右に傾いても苗植装置が左右水平を保持するようにローリング機構を制御して複数条の移植苗の植付深さを等しくするようにしている。
【先行技術文献】
【特許文献】
【０００３】
【特許文献１】特開２０１４−６８５４８号公報
【発明の概要】
【発明が解決しようとする課題】
【０００４】
前記多条植え苗移植機のローリング制御機構は、走行機体側の昇降する取付枠に苗植装置を前後方向のローリング軸で枢支して、ローリング軸の近くで取付枠に取り付けた回動アームと苗植装置の左右支持部材との間に左右引張バネを設け、一個の制御モータで回動アームの回動角度を変更して左右引張バネを介して苗植装置の左右水平を修正保持するようにしているが、左右引張バネは苗植装置の左右支持部材を一定の張力で弾性的に保持するので、圃場の凹凸が激しい場合や比較的平坦な場合でも同様に苗植装置が揺れながらローリングするために、比較的平坦な圃場での植付でも走行速度を速くすることが出来ない。
【０００５】
本発明は、走行機体側の後部に苗植装置をローリング可能に装着した多条植え苗移植機において、圃場の凹凸が少ない場合には苗植装置のローリングを少なくして植付走行速度を速く出来るようにすることを課題とする。
【課題を解決するための手段】
【０００６】
上記本発明の課題は、次の技術手段により解決される。
【０００７】
請求項１に記載の発明は、走行車体１の後部に設ける縦枠２７にローリング軸２６を介して苗植装置２５をローリング可能に設けた多条植え苗移植機において、苗植装置２５の左右支持部材２９ａを縦枠２７の中央支持部６０に左右引張バネ６３、６３で連結し、該左右引張バネ６３、６３の張力をローリング調整手段６５で変更可能にしたことを特徴とする多条植え苗移植機とする。
【０００８】
請求項２に記載の発明は、ローリング調整手段６５を左右引張バネ６３、６３の張力を変更する左右調整モータ６１Ｌ、６１Ｒとし、苗植装置２５の水平を検出する水平センサー６４の傾き検出角が所定角度以下であるときの、左右調整モータ６１Ｌ、６１Ｒによって変更される張力が、水平センサー６４の傾き検出角が所定角度以上になるときの、左右調整モータ６１Ｌ、６１Ｒによって変更される張力よりも大きくなるように制御することを特徴とする請求項１に記載の多条植え苗移植機とする。
【０００９】
請求項３に記載の発明は、ローリング調整手段６５の左右引張バネ６３、６３の張力を減少させるメンテナンススイッチ６６を設けたことを特徴とする請求項１に記載の多条植え苗移植機とする。
【発明の効果】
【００１０】
請求項１に記載の発明で、苗植装置２５が走行車体１側の縦枠２７にローリング軸２６で枢支され、苗植装置２５の左右支持部材２９ａが左右引張バネ６３、６３で縦枠２７の中央支持部６０に連結されているので、弾力的に苗植装置２５がローリング可能であるが、ローリング調整手段６５で左右引張バネ６３、６３の張力を変更してローリングのし易さが変更可能なので、圃場の凹凸が激しい場合には左右引張バネ６３、６３の張力を弱くすることで苗植装置２５がローリングして左右水平を保ち、圃場の凹凸が少ない場合には左右引張バネ６３、６３の張力を強くすることでローリングし難くなって走行車体１を速く走行させることが可能で、作業効率を向上できる。
【００１１】
請求項２に記載の発明で、請求項１の効果に加えて、水平センサー６４の傾き検出で、左右引張バネ６３、６３の張力調整を自動で行い、作業者の操縦負担を少なくしながら作業効率を向上できる。
【００１２】
請求項３に記載の発明で、請求項１の効果に加えて、メンテナンススイッチ６６を操作すると左右引張バネ６３、６３の張力が弱くなって、バネの取り外しなどのメンテナンス作業が行い易くなる。
【図面の簡単な説明】
【００１３】
【図１】乗用型田植機の全体側面図である。
【図２】乗用型田植機の全体平面図である。
【図３】植付装置の背面図である。
【図４】制御系のブロック回路図である。
【図５】ローリング作動機構部の拡大背面図である。
【図６】ローリング作動機構部の拡大側面図である。
【発明を実施するための形態】
【００１４】
以下、この発明の実施の一形態として、６条植え乗用型田植機を図面に基づき詳細に説明する。なお、本明細書において乗用型田植機の前進方向に向かって左右方向をそれぞれ左、右といい、前進方向を前、後進方向を後というが、本発明の構成を限定するものではない。
【００１５】
１は乗用型走行車体であって、左右フレーム２，２と該左右フレーム２，２の後部を連結する横フレーム３とで構成される機体の後部上面にエンジン４を搭載し、左右フレーム２，２の前部には走行ミッションケース５を固設している。
【００１６】
そして、この走行ミッションケース５には、エンジン４の回転駆動力が変速されるＨＳＴ変速装置と前輪デフ装置と後輪デフ装置とが内蔵されており、ＨＳＴ変速装置は、変速レバー６にて、後進と中立と前進（圃場内で植付け作業をする植付速，路上等で早く移動する為の移動速）とに変速操作される。
【００１７】
７，７は左右フロントアクスルケースであって、前記走行ミッションケース５の前輪デフ装置より左右駆動軸を介して動力が伝動されるように構成されている。９，９は操向自在の左右駆動前輪であって、左右フロントアクスルケース７，７の下部に嵌合され操縦ハンドル１０にて回動される操向ケース１１，１１に軸架されており、操縦ハンドル１０を回すと左右操向ケース１１，１１が縦軸回りに回動し左右駆動前輪９，９が向きを変えるように構成されている。
【００１８】
１５，１５は左右後輪駆動ケースであって連結枠で左右が一体に連結されており、該連結枠が横フレーム３にローリング軸にてローリング自在に設けられており、その左右両側部に軸架された左右駆動後輪１８，１８が上下揺動できるように構成されている。１９，１９は、走行ミッションケース５の後輪デフ装置から左右後輪駆動ケース１５，１５に動力を伝える伝動軸である。
【００１９】
そして、後輪駆動ケース１５内部の伝動機構中には左右駆動後輪１８，１８に対する左右サイドクラッチと左右サイドブレーキとが内蔵されており、エンジン４の前方に設けられた左右クラッチペダル２０，２０の踏込操作により該左右サイドクラッチが切れ且つ左右サイドブレーキが利くように構成されている。即ち、左右クラッチペダル２０，２０の踏込操作をした側の駆動後輪１８，１８の駆動が停止されブレーキが利くようになっている。
【００２０】
２１はＦＲＰにて成型された車体カバーであって、エンジン４の周囲を覆うエンジンカバー部２１ａと、エンジン４の前方及び左右側方に設けられたステップ２１ｂと、ハンドルポストカバー２１ｃと、エンジン４の後方に設けられた後輪フェンダーを兼ねたステップ２１ｄとにより構成されており、左右フレーム２，２上に固定されている。２２は操縦座席で、前記車体カバー２１のエンジンカバー部２１ａ上面に設置固定されている。
【００２１】
２３は上部リンク２３ａと下部リンク２３ｂとにより構成される昇降リンク機構であって、上部リンク２３ａと下部リンク２３ｂの基端部は左右フレーム２，２の後部に固着された支持フレーム２４に各々枢着され、後端部は後述の苗植装置２５をローリング自在に支持するローリング軸２６が設けられた縦枠２７に枢着されている。
【００２２】
２８は油圧シリンダーであって、シリンダーの基部が左右フレーム２，２に枢着され、そのピストンの後端が上部リンク２３ａと一体の揺動アーム２３ｃに枢着されている。
【００２３】
苗植装置２５は、前記縦枠２７のローリング軸２６にローリング自在に装着されたフレームを兼ねる植付伝動ケース２９と、該植付伝動ケース２９に設けられた左右支持部材２９ａ，２９ａに支持されて機体左右方向に往復動する苗載台３０と、植付伝動ケース２９の後端部に装着され前記苗載台３０の下端より１株分ずつの苗を分割して圃場に植え付ける６つの苗植付け具３１…と、植付伝動ケース２９の下部にその後部が枢支されてその前部が上下揺動自在に装着された整地体であるセンターフロート３２，左右サイドフロート３３，３３等にて構成されている。
【００２４】
苗載台３０は植付伝動ケース２９のスライドレール７２に載置されて左右往復動するが、スライドレール７２の左右端部７２ａ，７２ａは、使用時に側方へ張り出し、不使用時には前に折り曲げて収納されるために、収納を検出するスライドレールセンサー７３(図４)を設け、該スライドレールセンサー７３で左右端部７２ａ，７２ａが収納されているのを検出すると植付クラッチ７４を入りに出来ないようにして、苗載台３０が横移動して破損するのを防いでいる。この制御は、スライドレール７２の左右端部７２ａ，７２ａを側方へ張り出す使用位置に切り換えても、直ちには植付クラッチ７４を入りにしないようにして安全を図る。
【００２５】
左右サイドフロート３３，３３は、各々左右駆動後輪１８，１８の後方に配置されており、該左右駆動後輪１８，１８にて掻き乱された圃場を整地すると共に苗植付け具３１にて苗が植付けられる圃場の前方を整地すべく設けられている。そして、苗載台３０は、６つの苗載置部が左右方向に並列して設けられている。
【００２６】
また、走行車体１の前部左右両側には、補給用の苗を載せておく予備苗載台３８，３８が機体よりも側方に張り出す位置と内側に収納した位置とに回動可能に設けられている。
【００２７】
４０は施肥装置であって、前記支持フレーム２４の上端部に固着されており、施肥タンク４１…と、該各施肥タンク４１…の下部に装着され施肥タンク４１内の粒状肥料を一定量ずつ繰り出す肥料繰出装置４２…と、該肥料繰出装置４２にて繰り出された肥料を案内する透明の施肥パイプ４３…と、センターフロート３２，左右サイドフロート３３，３３に固着され苗植付け位置側方の圃場に施肥溝を掘り施肥パイプ４３にて案内された粒状肥料を該施肥溝内に落下案内する作溝器４４…とにより構成されている。尚、４５は肥料繰出装置４２…を駆動する駆動機構であって、左右フレーム２，２上に固設の施肥駆動ケ−ス４６により回転動力が伝達される。そして、施肥駆動ケ−ス４６には走行ミッションケース５より駆動軸４７にて動力が伝達されるように構成されている。
【００２８】
４８は両端にユニバーサルジョイントを有するＰＴＯ伝動軸であって、施肥駆動ケース４６の動力を苗植装置２５の植付伝動ケース２９に伝達すべく設けている。４９は圃場に対する苗植装置２５の位置を検出するセンサーとしてのセンターフロートセンサーであって、センターフロート３２前部の上下位置を検出するポテンショメータにより構成され、センターフロート３２の前部上面とリンク５０により連携されている。そして、センターフロートセンサー４９のセンターフロート３２前部の上下位置検出に基づいて、制御装置５１(図４)の昇降制御手段によりソレノイド油圧バルブ５２を制御して油圧シリンダー２８にて苗植装置２５の上下位置を制御するように構成されている。尚、センターフロート３２の前部はバネ５０ａにより下方に向けて付勢されている。
【００２９】
即ち、センターフロート３２が泥面に接地した状態でその前部が外力にて適正範囲以上に持ち上げられた時には油圧ポンプ５３(図１)にて走行ミッションケ−ス５内から汲み出された圧油を油圧シリンダー２８に送り込んでピストンを突出させ昇降リンク機構２３を上動させて苗植装置２５を所定位置まで上昇せしめ、また、センターフロート３２の前部が適正範囲以上に下がった時には油圧シリンダー２８内の圧油を走行ミッションケ−ス５内に戻して昇降リンク機構２３を下動させて苗植装置２５を所定位置まで下降せしめ、そして、センターフロート３２の前部が適正範囲にあるとき（苗植装置２５が適正な所定位置にある時）には油圧シリンダー２８内の圧油の出入りを止めて苗植装置２５を一定位置に保持せしめるべく設けられている。
【００３０】
５４は車体カバー２１より突出して操縦座席２２の右側方に設けられた昇降レバーであって、該昇降レバー５４を操作することにより、制御装置５１のＰＴＯクラッチ作動手段にて走行ミッションケ−ス５から後方に向けて設けられた駆動軸４７を駆動回転する動力を断接するＰＴＯクラッチを作動させて施肥装置４０及び苗植装置２５への動力を入切操作できるように構成されていると共に、制御装置５１の昇降制御手段にてソレノイド油圧バルブ５２を作動させて昇降リンク機構２３を介して苗植装置２５を上下動できるように構成されている。
【００３１】
即ち、昇降レバー５４を前方に倒して「自動位置」にすると、ＰＴＯクラッチが入り施肥装置４０及び苗植装置２５が駆動され且つソレノイド油圧バルブ５２がセンターフロート３２の上下動にて切換えられる自動制御状態となる。逆に、昇降レバー５４を後方に引いて「上昇位置」にすると、ＰＴＯクラッチが切れ施肥装置４０及び苗植装置２５の作動が停止し且つソレノイド油圧バルブ５２が強制的に苗植装置２５を上昇する側に切換えられ、苗植装置２５が上昇される。そして、昇降レバー５４をその操作ストロークの中間位置の「固定位置」にすると、ＰＴＯクラッチが切れ施肥装置４０及び苗植装置２５の作動が停止し且つソレノイド油圧バルブ５２が油圧シリンダー２８内の圧油の出入りを止めて苗植装置２５を一定位置に保持せしめる位置に切換えられ、苗植装置２５が昇降レバー５４を「固定位置」に操作したときの位置に保持され苗植装置２５は上昇も下降もしない。
【００３２】
また、昇降レバー５４を「下げ位置」にすると、ＰＴＯクラッチが切れ施肥装置４０及び苗植装置２５の作動が停止し且つソレノイド油圧バルブ５２がセンターフロート３２の上下動にて切換えられる自動制御状態となる。
【００３３】
次に、苗植装置２５のローリング制御機構５９を図１〜図６で説明する。
【００３４】
昇降リンク機構２３で支持した縦枠２７の左右中央で上方へ延出して設けた中央支持部６０に左右引張バネ６３，６３の一端部を引掛け、該左右引張バネ６３，６３の他端をそれぞれ植付伝動ケース２９の支持部材２９ａ，２９ａに取り付けた左右調整モータ６１Ｌ、６１Ｒの回動アーム６２Ｌ、６２Ｒに引掛けている。よって、左右調整モータ６１Ｌ、６１Ｒの駆動によって左右引張バネ６３，６３に張力が働き、左右調整モータ６１Ｌ、６１Ｒの一方が回動して回動アーム６２Ｌ、６２Ｒの一方が回ると、中央支持部６０に対して左右支持部材２９ａ，２９ａの一方が左右引張バネ６３，６３を介してイ−ロ方向に揺動し、植付伝動ケース２９と一体の苗植装置２５を乗用型走行車体１と一体の縦枠２７に対してローリングするようにしてある。
【００３５】
左右調整モータ６１Ｌ、６１Ｒは、本発明で言うローリング調整手段６５で、それぞれ回転方向及び回転角度を変更可能にする。
【００３６】
６４は植付伝動ケース２９の上部の機体左右方向中央位置に設けられた水平センサーであって、苗植装置２５の水平に対する左右傾斜を電気信号の変動として検出し、機体正面視で水平時に３Ｖの電圧を出力し、右傾斜するほど出力電圧は５Ｖまで大きくなり、逆に、左傾斜するほど出力電圧は０Ｖまで小さくなる。そして、制御装置５１のローリング制御手段にてこの水平センサー６４の出力電圧に応じて左右調整モータ６１Ｌ、６１Ｒを正逆転制御して苗植装置２５を水平に制御するようになっている。
【００３７】
水平センサー６４の検出傾き角度が小さく２〜４Ｖ程度の場合は、左右引張バネ６３、６３の張りを強くするように左右調整モータ６１Ｌ、６１Ｒを制御して苗植装置２５があまりローリングしないようにし、水平センサー６４の検出傾き角度が大きい場合は、左右引張バネ６３、６３の張りを弱くするように左右調整モータ６１Ｌ、６１Ｒを制御することで、走行車体１が大きく左右に傾く場合に苗植装置２５を素早く水平に戻し、走行車体１があまり左右に傾かない場合には、苗植装置２５があまり左右に揺れず走行車体１に追従して速く植付走行を行えるようになる。
【００３８】
ところが、乗用型田植機においては、苗植装置２５の苗載台３０が左右に往復移動して苗植付け作業が行なわれる為に、苗載台３０が中央部に位置する時と右端に位置する時と左端に位置する時とでは、苗植装置２５の重心が左右に大きく変動する為に、ローリング制御機構による制御が適正に行ない難い不都合があるので、中央支持部６０の先端部には、補正用左右引張バネ６９，６９の一端が係合し、補正用左右引張バネ６９，６９の他端は前記苗植装置２５の苗載台３０に係合している。よって、苗載台３０が左端付近及び右端付近に移動しているときは苗載台３０の重みで、苗植装置２５の苗載台３０が移動している側が下がりぎみになろうとするが、苗載台３０が移動して下がりぎみになろうとする側を引き上げる方向に補正用左右引張バネ６９，６９が作用して、苗載台３０の左右移動によるローリング制御の不安定さを解消できて、ローリング制御が適正に行なえ、良好な苗植付け作業ができる。
【００３９】
苗植装置２５の水平修正は、下がっている側の調整モータ６１Ｌ、６１Ｒを駆動して引張バネ６３の張力を強く作用して引き上げるのが原則だが、上がっている側の調整モータ６１Ｌ、６１Ｒでその引張バネ６３の張力を弱めることで相対的に下がっている側の引張バネ６３の張力を強くして水平修正することも可能である。
【００４０】
上記の実施例では、苗植装置２５側に水平センサー６４を設けた例を示したが、乗用型走行車体１側に水平センサー６４を設けて、乗用型走行車体１の傾斜を検出して、苗植装置２５が左右水平状態になるように従来一般的に行われている同様の制御手段にて制御しても良い。
【００４１】
５５は操縦ハンドル１０の下方に配置されたフィンガーレバーであって、該フィンガーレバー５５を上下方向に操作するとポテンショメータにより構成されるフィンガーレバースイッチ５６が作動されて、制御装置５１のＰＴＯクラッチ作動手段により、走行ミッションケ−ス５内に設けられた駆動軸４７を駆動回転する動力を断接するＰＴＯクラッチを操作して施肥装置４０及び苗植装置２５への動力を入切操作できるように構成されていると共に、制御装置５１の昇降制御手段により、ソレノイド油圧バルブ５２を操作して手動にて苗植装置２５を上下動できるように構成されている。
【００４２】
即ち、フィンガーレバー５５を「上」に操作すると、ＰＴＯクラッチが切れ施肥装置４０及び苗植装置２５の作動が停止し且つソレノイド油圧バルブ５２が強制的に苗植装置２５を上昇する側に切換えられる。そして、フィンガーレバー５５を「上」に操作した後に、フィンガーレバー５５を「下」に１回操作すると、ソレノイド油圧バルブ５２がセンターフロート３２の上下動にて切換えられる自動制御状態となり、苗植装置２５が上昇された状態であればセンターフロート３２が接地して適正姿勢になるまで苗植装置２５は下降する。更にもう一回、フィンガーレバー５５を「下」に操作すると、ソレノイド油圧バルブ５２がセンターフロート３２の上下動にて切換えられる自動制御状態のままで、ＰＴＯクラッチが入り施肥装置４０及び苗植装置２５が駆動される。以降、フィンガーレバー５５を「下」に操作する度に、ソレノイド油圧バルブ５２がセンターフロート３２の上下動にて切換えられる自動制御状態のままで、ＰＴＯクラッチが入りと切りに交互に切り換えられる。
【００４３】
図４に示す５７は制御装置５１の昇降制御手段の昇降制御感度を設定する感度設定器であり、前記センターフロート３２の上下動の量をセンターフロートセンサー４９で検出し、その検出情報によって油圧シリンダー２８のソレノイド油圧バルブ５２を切換え操作する昇降制御手段の昇降制御を行う上でのセンターフロートセンサー４９の基準位置を調節することで、昇降制御の感度を調節する一般的なものである。
【００４４】
即ち、仮に感度設定器５７を標準の「５」の位置から鈍感側「７」に操作すると、センターフロートセンサー４９の基準位置が「５」位置から少し上がった「７」位置に変更される。すると、センターフロート３２の姿勢が標準の「５」のときの姿勢よりも上向きになって接地面積が減少し、かつ、バネ５０ａがより圧縮されて基準位置での付勢力が増すので、田面の起伏に追従し難い状態となり、昇降制御感度が鈍感側に調節される。逆に、感度設定器５７を標準の「５」の位置から敏感側「３」に操作すると、センターフロートセンサー４９の基準位置が「５」位置から少し下がった「３」位置に変更される。すると、センターフロート３２の姿勢が下向きになって接地面積が増加し、かつ、バネ５０ａの付勢力が減るので、田面の起伏に追従し易い状態となり、昇降制御感度が敏感側に調節される。
【００４５】
図４に示すメンテナンススイッチ６６は、ローリング調整手段６５の調整・点検で使用し、オンすると左右引張バネ６３，６３の張力を緩めるように左右調整モータ６１Ｌ、６１Ｒを制御して、左右引張バネ６３，６３の取り外しが楽に行えるようにする。
【００４６】
また、苗植装置２５の苗植付け具３１の駆動を個別に停止する畦クラッチスイッチ７５(図４)を操縦ハンドル１０の近傍に設け、この畦クラッチスイッチ７５をオンすると畦側苗植付け具３１の駆動スプロケットに係止ピンが係合して駆動を停止するが、ＰＴＯ伝動軸４８の回転が速過ぎると停止し難いので、停止するまで畦クラッチランプ７６を点滅し係止すると連続点灯にして操縦者に知らせる。また、変速レバー６が高速位置では点滅のままで苗植付け具３１の駆動を停止できなくする。
【００４７】
尚、７０はセンターマスコットであって、機体の前端部に設けられており、次工程の機体の中心位置を示す線を圃場面に引く一般的な左右線引きマーカにて前工程で引かれた線に操縦者が合わせて直進する為の一般的なものである。
【符号の説明】
【００４８】
１  走行車体
２５  苗植装置
２６  ローリング軸
２７  縦枠
２９ａ  支持部材
６０  中央支持部
６１Ｌ、６１Ｒ  左右調整モータ
６３  引張バネ
６４  水平センサー
６５  ローリング調整手段
６６  メンテナンススイッチ
【図１】
2017201912.tif 000003
【図２】
2017201912.tif 000004
【図３】
2017201912.tif 000005
【図４】
2017201912.tif 000006
【図５】
2017201912.tif 000007
【図６】
2017201912.tif 000008